(57)【要約】【課題】  専用の操作手段を用いることなく、照明光の光色を可変できる照明制御システムを提供する。【解決手段】  照明制御システム１は、発光色の異なる光源６を配設している照明器具２と、スイッチ部８が押圧操作されている期間に亘って伝送線７に操作信号を出力する壁スイッチ装置３と、操作信号が設定された所定期間を上回ったときに、可変色制御信号を生成して伝送線７に出力する主操作盤装置４と、可変色制御信号を受信したときに、光源６から放射される各色光の混色比率を可変色制御信号に応じた混色比率となるように光源６を制御する制御端末装置５とを具備している。【選択図】図１
2010033806.tif 000002
【特許請求の範囲】
【請求項１】
発光色の異なる光源を配設している照明器具と；
スイッチ部を備え、このスイッチ部が押圧操作されている期間に亘って伝送線に操作信号を出力する壁スイッチ装置と；
この壁スイッチ装置から出力された操作信号を前記伝送線を介して受信する通信部と、前記操作信号の受信期間が所定期間以下のときには、光源を点消灯させる点消灯制御信号を生成して前記通信部から前記伝送線に出力し、光源を点灯させる点消灯制御信号を出力した後であって前記操作信号の受信期間が所定期間を上回ったときには、その受信情報を有する可変色制御信号を生成して前記通信部から前記伝送線に出力する主制御部とを有して構成された主操作盤装置と；
前記伝送線に接続され、主操作盤装置から出力された点消灯制御信号および可変色制御信号を受信する受信部と、前記可変色制御信号に対応する光源の混色比率を記憶している記憶部と、前記受信部が点消灯制御信号を受信したときには、光源の点消灯を制御し、前記受信部が可変色制御信号を受信したときには、前記記憶部に記憶している光源の混色比率に基づいて、光源を制御する制御部とを有して構成された制御端末装置と；
を具備していることを特徴とする照明制御システム。
【請求項２】
発光色の異なる光源を配設している照明器具と；
スイッチ部を備え、このスイッチ部が押圧操作されている期間に亘って伝送線に操作信号を出力する壁スイッチ装置と；
この壁スイッチ装置から出力された操作信号を前記伝送線を介して受信する通信部と、前記操作信号の受信期間に対応する光源の混色比率を記憶している記憶部と、前記操作信号の受信期間が所定期間以下のときには、光源を点消灯させる点消灯制御信号を生成して前記通信部から前記伝送線に出力し、光源を点灯させる点消灯制御信号を出力した後であって前記操作信号の受信期間が所定期間を上回ったときには、前記記憶部に記憶している光源の混色比率に基づいて、光源の混色比率を有する可変色制御信号を生成して前記通信部から前記伝送線に出力する主制御部とを有して構成された主操作盤装置と；
前記伝送線に接続され、主操作盤装置から出力された点消灯制御信号および可変色制御信号を受信する受信部と、前記受信部が点消灯制御信号を受信したときには、光源の点消灯を制御し、前記受信部が可変色制御信号を受信したときには、可変色制御信号に応じて光源の混色比率が変化するように光源を制御する制御部とを有して構成された制御端末装置と；
を具備していることを特徴とする照明制御システム。
【請求項３】
主操作盤装置の主制御部は、前記通信部において前記操作信号の受信期間が所定期間を上回ったときと受信終了したときに可変色制御信号を前記伝送線に出力させ、制御端末装置の制御部は、可変色制御信号を受信してから再度可変色制御信号を受信するまでの間、前記光源の混色比率を次第に変化させることを特徴とする請求項１または２記載の照明制御システム。
【発明の詳細な説明】
【技術分野】
【０００１】
本発明は、発光色の異なる光源から放射される各色光を混色して照明光を得るとともに、その照明光の光色を可変することのできる照明制御システムに関する。
【背景技術】
【０００２】
従来、発光色の異なる複数種の光を混光して所望の照明光を得ている。また、照明光の光色を変化させて照明空間を演出することが行われている。例えば、可変抵抗器の操作量と照明空間に照射する光の色温度とを比例関係で対応付けた色温度可変型照明装置が提案されている（特許文献１参照。）。この従来技術の照明装置は、基本データテーブルに格納された基本の調光データを、補助データテーブルに格納された補正用の調光データで補正し、発光色の色温度が異なる２種類のランプから出射する光束の合計を一定に保ったまま混色光の色温度を可変抵抗器の操作量に比例させて変化させるものである。
【０００３】
また、発光色の異なる複数の光源と、各光源を調光点灯する点灯回路と、所望の色と明るさを設定する設定手段と、設定手段の設定に基づいて各光源の調光量を決める調光量決定手段とを備え、光源、点灯回路および調光量決定手段を灯具本体内に収めた可変色照明装置が提案されている（特許文献２参照。）。この従来技術の可変色照明装置は、設定手段としての操作部から１つのランプの調光信号と照明光の光色を示す色温度情報とが出力されるものである。このため、設定手段から灯具本体に送る信号の種類を少なくでき、配線本数を削減することができるとともに、多重伝送システムなどの特殊な伝送信号を使用しないので、構成が複雑になることもないというものである。
【特許文献１】特開２００６−２１００７７号公報（第７−８頁、第１図）
【特許文献２】特開平７−２１１４６２号公報（第４−５頁、第１図）
【発明の開示】
【発明が解決しようとする課題】
【０００４】
特許文献１の照明装置は、２種類のランプを点消灯するスイッチ装置の他に、混色光の色温度を変化させる可変抵抗器が必要である。また、特許文献２の可変色照明装置は、同様に、１つのランプの調光信号と照明光の光色を設定する設定手段（操作部）が必要であるという欠点を有する。
【０００５】
本発明は、専用の操作手段を用いることなく、照明光の光色を可変できる照明制御システムを提供することを目的とする。
【課題を解決するための手段】
【０００６】
請求項１に記載の照明制御システムの発明は、発光色の異なる光源を配設している照明器具と；スイッチ部を備え、このスイッチ部が押圧操作されている期間に亘って伝送線に操作信号を出力する壁スイッチ装置と；この壁スイッチ装置から出力された操作信号を前記伝送線を介して受信する通信部と、前記操作信号の受信期間が所定期間以下のときには、光源を点消灯させる点消灯制御信号を生成して前記通信部から前記伝送線に出力し、光源を点灯させる点消灯制御信号を出力した後であって前記操作信号の受信期間が所定期間を上回ったときには、その受信情報を有する可変色制御信号を生成して前記通信部から前記伝送線に出力する主制御部とを有して構成された主操作盤装置と；前記伝送線に接続され、主操作盤装置から出力された点消灯制御信号および可変色制御信号を受信する受信部と、前記可変色制御信号に対応する光源の混色比率を記憶している記憶部と、前記受信部が点消灯制御信号を受信したときには、光源の点消灯を制御し、前記受信部が可変色制御信号を受信したときには、前記記憶部に記憶している光源の混色比率に基づいて、光源を制御する制御部とを有して構成された制御端末装置と；を具備していることを特徴とする。
【０００７】
本発明および以下の各発明において、特に言及しない限り、各構成は以下による。
【０００８】
光源は、その１つの光源が発光色の異なる発光部を有して構成されていてもよく、各光源が異なる発光色の色光をそれぞれ放射するように構成されていてもよい。
【０００９】
「光源の混色比率」とは、例えば、発光色の異なる各色光の強度や光量（光束）の割合である。
【００１０】
壁スイッチ装置は、光源を点灯させるスイッチ部および消灯させるスイッチ部の２つのスイッチ部を有して形成されていてもよく、順次、光源を点消灯させる１つのスイッチ部を有して形成されていてもよい。
【００１１】
「スイッチ部が押圧操作されている期間に亘って操作信号を出力する」とは、押圧操作されているときに操作信号を例えば一定間隔で出力することの他、押圧操作を開始または終了した直後にそれぞれ操作信号を出力することを包含する。ここで、設定された一定の短時間内に押圧操作がないと、押圧操作が解除されたものとするとよい。
【００１２】
制御端末装置は、照明器具の内部または外部のいずれに配設されてもよい。
【００１３】
本発明によれば、壁スイッチ装置のスイッチ部が押圧操作されている期間が所定期間以下であると、主操作盤装置から光源を点消灯させる点消灯制御信号が伝送線を介して制御端末器に送信され、制御端末器の制御により、光源が点灯または消灯される。そして、スイッチ部が押圧操作されている期間が所定期間を上回っていると、主操作盤装置から当該押圧操作されている期間に亘り、受信情報を有する可変色制御信号が伝送線を介して制御端末器に送信される。制御端末器は、記憶部に記憶されている可変色制御信号（受信期間）に対応する光源の各色光の混色比率に基づいて、可変色制御信号の受信情報に応じた各色光の混色比率となるように光源を制御する。これにより、壁スイッチ装置のスイッチ部を継続して押圧操作することにより、照明器具から出射される照明光の光色が変化する。
【００１４】
請求項２に記載の照明制御システムの発明は、発光色の異なる光源を配設している照明器具と；スイッチ部を備え、このスイッチ部が押圧操作されている期間に亘って伝送線に操作信号を出力する壁スイッチ装置と；この壁スイッチ装置から出力された操作信号を前記伝送線を介して受信する通信部と、前記操作信号の受信期間に対応する光源の混色比率を記憶している記憶部と、前記操作信号の受信期間が所定期間以下のときには、光源を点消灯させる点消灯制御信号を生成して前記通信部から前記伝送線に出力し、光源を点灯させる点消灯制御信号を出力した後であって前記操作信号の受信期間が所定期間を上回ったときには、前記記憶部に記憶している光源の混色比率に基づいて、光源の混色比率を有する可変色制御信号を生成して前記通信部から前記伝送線に出力する主制御部とを有して構成された主操作盤装置と；前記伝送線に接続され、主操作盤装置から出力された点消灯制御信号および可変色制御信号を受信する受信部と、前記受信部が点消灯制御信号を受信したときには、光源の点消灯を制御し、前記受信部が可変色制御信号を受信したときには、可変色制御信号に応じて光源の混色比率が変化するように光源を制御する制御部とを有して構成された制御端末装置と；を具備していることを特徴とする。
【００１５】
本発明によれば、主操作盤装置の主制御部は、壁スイッチ装置のスイッチ部が押圧操作されている期間が所定期間を上回っていると、記憶部に記憶している操作信号の受信期間に対応する光源の混色比率に応じて、光源の混色比率を有する可変色制御信号を生成し、伝送線を介して制御端末器に送信する。制御端末器は、可変色制御信号の光源の混色比率となるように光源を制御する。これにより、壁スイッチ装置のスイッチ部を継続して押圧操作することにより、照明器具から出射される照明光の光色が変化する。
【００１６】
請求項３に記載の照明制御システムの発明は、請求項１または２記載の照明制御システムにおいて、主操作盤装置の主制御部は、前記通信部において前記操作信号の受信期間が所定期間を上回ったときと受信終了したときに可変色制御信号を前記伝送線に出力させ、制御端末装置の制御部は、可変色制御信号を受信してから再度可変色制御信号を受信するまでの間、前記光源の混色比率を次第に変化させることを特徴とする。
【００１７】
主操作盤装置の主制御部は、通信部が一定の短時間内に操作信号を受信しないと、操作信号を受信終了したものとするとよい。
【００１８】
本発明によれば、主操作盤装置の主制御部は、通信部が操作信号を所定期間を上回って受信したときと受信終了したときに可変色制御信号を伝送線に出力させるので、伝送線に送信される送信量が削減される。
【発明の効果】
【００１９】
請求項１または請求項２の発明によれば、壁スイッチ装置のスイッチ部を継続して押圧操作すると、光源から放射される各色光の混色比率が次第に変化するので、専用の操作装置を用いることなく、照明器具から出射される照明光の光色を可変することができて、照明光の演出を行うことができる。
【００２０】
請求項３の発明によれば、主操作盤装置の通信部が壁スイッチ装置から出力された操作信号を所定期間を上回って受信したときと受信終了したときに主操作盤装置から伝送線に可変色制御信号が出力され、制御端末装置は、可変色制御信号を受信してから再度可変色制御信号を受信するまでの間、光源の混色比率を次第に変化させるので、壁スイッチ装置のスイッチ部の押圧操作に対して光源から放射される各色光の混色比率を迅速に変化させることができ、照明器具から出射される照明光の光色を迅速に可変することができる。
【発明を実施するための最良の形態】
【００２１】
以下、本発明の一実施の形態について、図面を参照して説明する。
【００２２】
図１ないし図８は、本発明の一実施の形態を示し、図１は照明制御システムの構成を示す概略ブロック図、図２は壁スイッチ装置の構成を示す概略ブロック図、図３は主操作盤装置の構成を示す概略ブロック図、図４は制御端末装置の構成を示す概略ブロック図、図５はＬＥＤモジュールの概略正面図、図６は点灯回路部の概略回路図、図７は各発光ダイオードに対する電流の供給を示す説明図、図８はＬＥＤモジュールから放射される照明光の光色の範囲を示す色度範囲図である。
【００２３】
図１において、照明制御システム１は、照明器具２、壁スイッチ装置３、主操作盤装置４および制御端末装置５を有して構成されている。照明器具２は、例えば箱状の直付け照明器具であり、天井面に複数個（Ｎ個）が取り付けられている。各照明器具２は、それぞれ光源としての複数のＬＥＤモジュール６を配設している。ＬＥＤモジュール６は、照明器具２の内部に配設された制御端末装置５により点灯制御される。制御端末装置５は、伝送線７を介して主操作盤装置４に接続されており、主操作盤装置４から送信されたＬＥＤモジュール６をオンオフ(点消灯)または可変色させる照明制御信号を受信する。なお、制御端末装置５は、アドレスを有し、アドレスが一致する照明制御信号を取り込むように構成されている。
【００２４】
また、伝送線７には、複数の壁スイッチ装置３が接続されている。壁スイッチ装置３は、手動操作によりＬＥＤモジュール６をオンオフ（点消灯）させるスイッチ部８を具備し、ＬＥＤモジュール６の点灯状態を制御する操作信号などを主操作盤装置４に送信する。ここで、壁スイッチ装置３は、照明器具２を個々にまたはグループごとに制御するようにすることができる。伝送線７は、複極（±２４Ｖ）の時分割多重信号で示されたデータを送受信する伝送線、あるいはイーサネット（登録商標）や電力線通信等を行う回線である。
【００２５】
照明器具２に配設されている光源としての複数のＬＥＤモジュール６は、それぞれ異なる発光色の光を放射し、混光するように形成されている。すなわち、ＬＥＤモジュール６は、図５に示すように、基板９および発光色の異なる複数の第１〜第４の発光部１０，１１，１２，１３を有して構成されている。
【００２６】
基板９は、セラミックや合成樹脂などの電気絶縁物からなり、その外形が正面視正八角形に形成され、その中央部に例えば縦横各３０ｍｍの大きさに形成された四角形の凹部１４を有している。この凹部１４の底面には、銅箔や銀箔などの金属箔からなる図示しない熱拡散層が設けられている。そして、凹部１４は、合成樹脂や金属板からなる仕切り１５により複数の領域に区画され、それぞれの領域が第１〜第４の発光部１０，１１、１２，１３に形成されている。
【００２７】
第１の発光部１０は、四角な凹部１４を、その平行な二辺に沿って平行に三等分した中央部の長方形の領域に設けられ、黄色光を発光するように形成されている。すなわち、当該領域に複数個例えば８個の青色発光ダイオード１６（以下、青色ＬＥＤ１６と略称する。）が設けられているとともに、これら青色ＬＥＤ１６を封止して透光性の第１の封止部材１７が設けられていて、この第１の封止部材１７に図示しない蛍光体が混ぜられている。
【００２８】
各青色ＬＥＤ１６は、４３５〜４７５ｎｍの間にピーク波長を有するチップ状のＬＥＤが用いられている。第１の封止部材１７は、透明シリコーン樹脂などからなり、図示しない蛍光体が好ましくは均一に分散して混ぜられている。この蛍光体は、青色ＬＥＤ１６が発する青色の光により励起されて、青色光と異なる波長の光である黄色の光を放射する黄色蛍光体が用いられている。黄色蛍光体は、５５０〜６００ｎｍの間にピーク波長を有する。この黄色蛍光体が混ぜられた第１の封止部材１７で青色ＬＥＤ１６が封止された領域は、以下、黄色発光領域Ｙとも称する。
【００２９】
第２の発光部１１は、黄色発光領域Ｙを除く四角な凹部１４を、黄色発光領域Ｙの長手方向に沿って平行に三等分した黄色発光領域Ｙの長手方向中央部の両側の領域（図５において上下両側）に設けられ、緑色光を発光するように形成されている。すなわち、当該一対の領域に青色発光ダイオード１８（以下、青色ＬＥＤ１８と略称する。）が複数個例えば４個ずつ設けられているとともに、これら青色ＬＥＤ１８を封止して透光性の第２の封止部材１９が設けられていて、この第２の封止部材１９に図示しない蛍光体が混ぜられている。各青色ＬＥＤ１８は、各領域で電気的に直列接続されている。
【００３０】
各青色ＬＥＤ１８は、青色ＬＥＤ１６と同様に形成され、４３５〜４７５ｎｍの間にピーク波長を有する。第２の封止部材１９は、透明シリコーン樹脂などからなり、図示しない蛍光体が好ましくは均一に分散して混ぜられている。この蛍光体には、青色ＬＥＤ１８が発する青色の光により励起されて、青色光と異なる波長の光である緑色の光を放射する緑色蛍光体が用いられている。緑色蛍光体は、４９５〜５３５ｎｍの間にピーク波長を有する。この緑色蛍光体が混ぜられた第２の封止部材１９で青色ＬＥＤ１８が封止された領域は、以下、緑色発光領域Ｇとも称する。緑色発光領域Ｇの面積は、黄色発光領域Ｙの略２／３となっている。
【００３１】
第３の発光部１２は、第１の発光部１０の長手方向の一端側であって第２の発光部１１を挟む領域にそれぞれ設けられている。そして、第３の発光部１２は、複数の青色発光ダイオード２０（以下、青色ＬＥＤ２０と略称する。）と、第３の封止部材２１とを有してなり、青色光を発光するように形成されている。青色ＬＥＤ２０は、領域ごとに電気的に直列接続されている。
【００３２】
各青色ＬＥＤ２０は、青色ＬＥＤ１６と同様に形成され、４３５〜４７５ｎｍの間にピーク波長を有する。第３の封止部材２１は、透明シリコーン樹脂などからなり、これには蛍光体は混ぜられていない。したがって、第３の発光部１２は、４３５〜４７５ｎｍの間にピーク波長を有する青色光を放射する。第３の封止部材１２で青色ＬＥＤ２０が封止された領域は、以下、青色発光領域Ｂとも称する。
【００３３】
第４の発光部１３は、赤色発光部であり、第１の発光部１０の長手方向の他端側であって第２の発光部１１を挟む領域にそれぞれ設けられている。そして、第４の発光部１３は、複数の赤色発光ダイオード２２（以下、赤色ＬＥＤ２２と略称する。）と、第４の封止部材２３とを有してなり、赤色光を発光するように形成されている。
【００３４】
赤色ＬＥＤ２２は、ピーク波長が６１０ｎｍ以上である発光をするチップ状の赤色ＬＥＤが用いられている。第４の封止部材２３は、透明シリコーン樹脂などからなり、これには蛍光体は混ぜられていない。したがって、第４の発光部１３は、６１０ｎｍ以上にピーク波長を有する赤色光を放射する。第４の封止部材２３で赤色ＬＥＤ２２が封止された領域は、以下、赤色発光領域Ｒとも称する。
【００３５】
そして、ＬＥＤモジュール６は、電気コネクタ２４，２４を具備している。電気コネクタ２４，２４は、黄色発光領域Ｙをその長手方向両側から挟むように基板９に搭載されている。また、基板９には、その凹部１４の周りに複数の固定孔２５が設けられている。ＬＥＤモジュール６は、固定孔２５を通るねじ等の固定部品（図示しない）によって、図１に示すように、器具本体２６の下面２６ａに固定されている。複数のＬＥＤモジュール６は、器具本体２６の下面２６ａに前後左右対称に配置されている。そして、隣接しているＬＥＤモジュール６，６は、それらの電気コネクタ２４，２４間にわたって配線される絶縁被覆電線（図示しない。）を介して電気的に接続されている。すなわち、複数のＬＥＤモジュール６は、直列接続されている。
【００３６】
上述したように、ＬＥＤモジュール６は、第１〜第４の発光部１０，１１，１２，１３を有して構成されており、照明器具２は、ＬＥＤモジュール６から放射される異なる色光である黄色光、緑色光、青色光および赤色光が混光されるように、複数のＬＥＤモジュール６を配設している。
【００３７】
壁スイッチ装置３は、図２に示すように、複数のスイッチ部８、制御部２７、送信部２８および電源部２９を有して構成されている。各スイッチ部８は、照明器具２に対応して設けられ、ＬＥＤモジュール６を点消灯させるために押圧操作される。そして、ＬＥＤモジュール６の点灯および消灯は、スイッチ部８を順次押圧操作することにより行える。制御部２７は、スイッチ部８が押圧操作されると、スイッチ部８に対応した照明器具２のアドレスを付与した操作信号を生成する。送信部２８は、伝送線７に接続され、当該操作信号を伝送線７に出力する。操作信号は、伝送線７を介して主操作盤装置４に伝送される。電源部２９は、制御部２７および送信部２８などに動作電源を供給する。
【００３８】
主操作盤装置４は、システム全体を統括管理し、例えば照明ゾーン毎に一台設置されている。そして、図３に示すように、通信部３０、主制御部３１、記憶部３２、画面入力部３３および電源部３４を有して構成されている。
【００３９】
通信部３０は、伝送線７に接続され、ＬＥＤモジュール６を点消灯制御させる照明制御信号などを送信するとともに、壁スイッチ装置３から出力された操作信号などを受信するように形成されている。
【００４０】
主制御部３１は、マイコン等で構成され、各種の演算処理や制御を行うように形成されている。すなわち、壁スイッチ装置３から出力された操作信号または画面入力部３３から入力した制御信号に応じて照明制御信号を演算生成し、通信部３０から伝送線７に送信させる。そして、通信部３０において、壁スイッチ装置３から出力された操作信号が所定期間例えば１秒以下で受信されたときには、ＬＥＤモジュール６を点灯させる照明制御信号としての点灯制御信号またはＬＥＤモジュール６を消灯させる照明制御信号としての消灯制御信号を生成し、点灯制御信号または消灯制御信号を通信部３０から伝送線７に出力させるように形成されている。すなわち、壁スイッチ装置３のスイッチ部８を所定期間（１秒）以下で押圧操作すると、主操作盤装置４からＬＥＤモジュール６を点消灯させる点灯制御信号または消灯制御信号が伝送線７に出力される。
【００４１】
また、点灯制御信号を伝送線７に出力した後、通信部３０において、壁スイッチ装置３から出力された操作信号が所定期間（１秒）を上回って受信しているときには、その上回る受信期間に亘って照明制御信号としての可変色制御信号を生成し、この可変色制御信号を通信部３０から伝送線７に出力させるように形成されている。可変色制御信号は、ＬＥＤモジュール６から放射される黄色光、緑色光、青色光および赤色光の各色光の混色比率を、前もって設定された混色比率で次第に変化させるための照明制御信号であり、ここでは、壁スイッチ装置３のスイッチ部８が押圧操作されていることの受信情報を含んで構成されている。
【００４２】
そして、記憶部３２は、照明器具２、壁スイッチ装置３および制御端末装置５のそれぞれのアドレス、所定期間などを記憶している。画面入力部３３は、例えばタッチパネルを備え、ＬＥＤモジュール６のオンオフ(点消灯)や調光率、各色光の設定などの各種データを入力可能に形成されている。電源部３４は、図示しない商用交流電源Ｖｓに接続され、主制御部３１などに動作電源を供給する。
【００４３】
制御端末装置５は、図４に示すように、受信部３５、制御部３６、点灯制御部３７および主回路部３８からなる点灯回路部３９、記憶部４０および電源部４１を有してユニットに構成されている。
【００４４】
受信部３５は、伝送線７に接続され、主操作盤装置４から出力された照明制御信号などの各種制御信号を伝送線７から受信する。
【００４５】
制御部３６は、マイコン等を有して形成され、受信部３５が照明制御信号としての点灯制御信号または消灯制御信号を受信したときには、ＬＥＤモジュール６の点消灯を制御する点灯信号または消灯信号を生成する。また、受信部３５が照明制御信号としての可変色制御信号を受信したときには、可変色制御信号の受信情報に応じた可変色信号を生成する。すなわち、記憶部４０には、前もって設定された可変色制御信号（所定期間を上回る受信期間）に対するＬＥＤモジュール６から放射される各色光の混色比率が記憶されており、制御部３６は、記憶部４０から当該可変色制御信号（受信期間）に対する各色光の混色比率を読み出して、この読み出した可変色制御信号（受信期間）に対する各色光の混色比率に基づいて、かつ可変色制御信号に付与されている受信情報の受信期間に基づいて、ＬＥＤモジュール６から放射される各色光の混色比率を可変色制御信号の受信情報に応じた各色光の混色比率に制御する可変色信号を生成するものである。ここで、制御部３６は、可変色信号を、壁スイッチ装置３のスイッチ部８が所定期間（１秒）を上回って押圧操作される前の各色光の混色比率から次第に各色光の混色比率を変化させるように形成するようにしてもよく、予め設定された各色光の混色比率から次第に各色光の混色比率を変化させるように形成するようにしてもよい。
【００４６】
制御部３６で生成された点灯信号、消灯信号または可変色信号は、点灯回路部３９の点灯制御部３７に入力される。点灯制御部３７は、点灯信号、消灯信号または可変色信号に応じて主回路部３８を制御する。
【００４７】
主回路部３８は、図６に示すように、直流電源回路４２および定電流回路４３〜４６を有して構成されている。直流電源回路４２は、商用交流電源Ｖｓの交流電圧を整流平滑し、所定の直流電圧を出力するように形成されている。定電流回路４３，４４，４５，４６は、それぞれＬＥＤモジュール６の第１の発光部１０、第２の発光部１１、第３の発光部１２、第４の発光部１３を介して直流電源回路４２に接続されている。
【００４８】
定電流回路４３は、ＮＰＮ形トランジスタＱ１および抵抗Ｒ１が第１の発光部１０の青色ＬＥＤ１６に直列的に接続されて、直流電源回路４２の出力間に接続されている。そして、トランジスタＱ１のベースおよび抵抗Ｒ１の両端間に、ＮＰＮ形トランジスタＱ２が接続され、さらに抵抗Ｒ２および直流電圧源Ｖｒｅｆ１の直列回路が接続され、さらにダイオードＤ１、オペアンプＯＰ１および直流電圧源Ｖｒｅｆ２の直列回路が接続されている。直流電圧源Ｖｒｅｆ２は、オペアンプＯＰ１の非反転入力端子に接続されている。オペアンプＯＰ１の反転入力端子は、出力端子に接続されている。ダイオードＤ１は、カソード側がオペアンプＯＰ１の出力端子、アノード側がトランジスタＱ１のベース側となるようにして接続されている。そして、トランジスタＱ２のベースは、点灯制御部３７に接続されている。
【００４９】
オペアンプＯＰ１は、トランジスタＱ１のベースに印加している電圧を引き抜くように作用し、トランジスタＱ１のベースに直流電圧源Ｖｒｅｆ２の直流電圧と同等の一定電圧を印加させる。これにより、トランジスタＱ２のオフ時、トランジスタＱ１がオンして、抵抗Ｒ１の両端間には、ほぼ当該一定電圧が発生する。この結果、直流電源回路４２から出力された直流電圧より抵抗Ｒ１の両端間電圧を減じた直流電圧が直列接続された青色ＬＥＤ１６の両端間に印加され、図７に示すように、青色ＬＥＤ１６に一定電流ＡＲが流れる。そして、トランジスタＱ２がオンすると、トランジスタＱ１がオフして、青色ＬＥＤ１６に電流が流れなくなる。こうして、トランジスタＱ２（トランジスタＱ１）がオンオフされ、所定時間内のオン時間およびオフ時間が調整されることにより、青色ＬＥＤ１６に流れる平均電流が調整される。青色ＬＥＤ１６に一定電流ＡＲが流れることにより、第１の発光部１０から黄色光が放射される。
【００５０】
定電流回路４４、４５、４６は、定電流回路４３と同様に構成され、それぞれのトランジスタＱ２がオンオフ制御され、図７に示すように、所定時間内のオン時間およびオフ時間が各混色比率に対して調整される。そして、それぞれの青色ＬＥＤ１８、青色ＬＥＤ２０および赤色ＬＥＤ２２に一定電流ＡＲが流れることにより、第２の発光部１１から緑色光が放射され、第３の発光部１２から青色光が放射され、第４の発光部１３から赤色光が放射される。
【００５１】
点灯制御部３７は、マイコン等を有して形成されている。そして、制御部３６から点灯信号を入力すると、定電流回路４３〜４６の各トランジスタＱ２のベースにハイ信号およびロウ信号を交互に供給してトランジスタタＱ２をオンオフさせる。これにより、ＬＥＤモジュール６の第１〜第４の発光部１０〜１３からそれぞれ黄色光、緑色光、青色光および赤色光が放射され、それらの各色光が混光した照明光が得られる。ここで、制御部３６は、点灯信号を、ＬＥＤモジュール６を消灯させる直前の各色光の混色比率に制御するように生成してもよく、予め設定された各色光の混色比率に制御するように生成してもよい。
【００５２】
また、点灯制御部３７は、制御部３６から消灯信号を入力すると、定電流回路４３〜４６の各トランジスタＱ２のベースにハイ信号を継続して供給する。これにより、トランジスタタＱ２がオンし、トランジスタＱ１がオフして、第１〜第４の発光部１０〜１３が発光しなくなる。すなわち、光源としてのＬＥＤモジュール６は、消灯する。
【００５３】
そして、点灯制御部３７は、制御部３６から可変色信号を入力すると、定電流回路４３〜４６の各トランジスタＱ２のオン時間およびオフ時間を調整し、ＬＥＤモジュール６から放射される各色光の混色比率が可変色信号に応じた各色光の混色比率となるようにする。各色光の混色比率と、定電流回路４３〜４６の各トランジスタＱ２のオン時間およびオフ時間との対応付けは、前もって図示しない内部記憶部に記憶させているか、または、マイコンで演算処理するようにしている。
【００５４】
図８は、点灯制御部３７で制御することのできる光色の範囲を示したものである。すなわち、図中、Ａ点は、第１の発光部１０（黄色光）のみを全光点灯し、第２〜第４の発光部１１〜１３を消灯したときの色度を示す。同様に、Ｂ点は、第２の発光部１１（緑色光）のみを全光点灯し、Ｃ点は、第３の発光部１２（青色光）のみを全光点灯し、Ｄ点は、第４の発光部１３（赤色光）のみを全光点灯し、残余の発光部を消灯したときの色度を示す。
【００５５】
ＬＥＤモジュール６から放射される各色光は、図中、Ａ点〜Ｄ点の範囲内で可変可能である。そして、当該範囲内において、例えば、曲線Ｅ１，Ｅ２で示す色度変化となるように、各色光の混色比率が前もって設定されている。すなわち、主操作盤装置４の通信部３０における所定期間（１秒）を上回る受信期間または壁スイッチ装置３のスイッチ部８の所定期間を上回る押圧操作に対して、例えば、曲線Ｅ１，Ｅ２におけるｆ１、ｆ２、ｆ３、ｆ４、ｆ１の色度経路で、ＬＥＤモジュール６から放射される各色光（照明光）の光色が変化するようにしている。
【００５６】
そして、曲線Ｅ１，Ｅ２で示すように前もって設定された可変色制御信号（所定期間を上回る受信期間）に対するＬＥＤモジュール６から放射される各色光の混色比率は、記憶部４０に記憶させているものである。また、記憶部４０は、ＬＥＤモジュール６が点灯制御されているときの各色光の混色比率を記憶するものである。これにより、壁スイッチ装置３のスイッチ部８が再び所定期間を上回る押圧操作されたときに、制御部３６は、当該押圧操作されたときの各色光の混色比率から上記曲線Ｅ１，Ｅ２に基づく可変色信号を生成することができる。また、ＬＥＤモジュール６が再点灯されたときに、消灯直前の各色光の混色比率でＬＥＤモジュール６を制御する点灯信号を生成することができる。
【００５７】
上述したように、点灯回路部３９は、制御部３６から出力された点灯信号または消灯信号に応じてＬＥＤモジュール６を点灯または消灯させるとともに、可変色信号に応じて各色光の混色比率となるようにＬＥＤモジュール６を制御するように形成されている。そして、電源部４１は、受信部３５や制御部３６などに動作電源を供給する。
【００５８】
なお、制御端末装置４は、点灯回路部３９が点灯装置として別体に形成されたものであってもよい。
【００５９】
次に、本発明の一実施の形態の作用について述べる。
【００６０】
壁スイッチ装置３のスイッチ部８を押圧操作していると、壁スイッチ装置３から伝送線７に操作信号が出力され、この操作信号は、主操作盤装置４の通信部３０で受信される。主操作盤装置４の主制御部３１は、通信部３０において操作信号が所定期間（例えば１秒）以下で受信されたときには、照明制御信号としての点灯制御信号または消灯制御信号を生成して通信部３０から伝送線７に出力させる。点灯制御信号または消灯制御信号は、制御端末装置５の受信部３５で受信される。
【００６１】
制御端末装置５の制御部３６は、点灯制御信号または消灯制御信号に応じてＬＥＤモジュール６を点灯制御または消灯制御させることのできる点灯信号または消灯信号を生成する。ここで、点灯信号は、点灯制御に加えて、ＬＥＤモジュール６が消灯される直前の各色光の混色比率に制御できるように生成される。点灯回路部３９は、点灯信号に応じて、消灯直前の各色光の混色比率でＬＥＤモジュール６の第１〜第４の発光部１０〜１３を点灯（発光）させる。また、点灯回路部３９は、消灯信号に応じてＬＥＤモジュール６を消灯させる。こうして、壁スイッチ装置３のスイッチ部８の所定期間（１秒）内の押圧操作によって、ＬＥＤモジュール６を点灯または消灯させることができる。
【００６２】
また、主操作盤装置４の主制御部３１は、通信部３０において操作信号が所定期間（１秒）を上回って受信されているときには、その所定期間を上回って受信されているという受信情報を有する照明制御信号としての可変色制御信号を生成して通信部３０から伝送線７に出力させる。
【００６３】
可変色制御信号は、制御端末装置５の受信部３５で受信される。制御部３６は、記憶部４０に記憶されている可変色制御信号（所定期間を上回る受信期間）に対するＬＥＤモジュール６から放射される各色光の混色比率から、可変色制御信号の受信情報の受信期間に対する各色光の混色比率を求め、ＬＥＤモジュール６から放射される各色光を当該求めた各色光の混色比率に制御する可変色信号を生成する。ここで、制御部３６は、記憶部４０に記憶させている可変色制御信号（所定期間を上回る受信期間）に対して、受信部３５が可変色制御信号を受信開始したときのＬＥＤモジュール６を制御している各色光の混色比率となる受信期間を求め、この受信期間から可変色制御信号の受信情報の受信期間をスタートさせて、可変色制御信号の受信情報の受信期間に対する各色光の混色比率を求めるものである。これにより、可変色制御信号の受信情報に対して、ＬＥＤモジュール６から放射される各色光の混色比率を、図８に示す曲線Ｅ１，Ｅ２に基づく制御にする可変色信号が生成される。
【００６４】
点灯回路部３９は、可変色信号に応じて、ＬＥＤモジュール６から放射される各色光の混色比率を制御する。そして、壁スイッチ装置３のスイッチ部８の押圧操作が継続していると、主操作盤装置４から可変色制御信号が継続して出力され、制御端末装置５の制御部３６で可変色制御信号に応じた可変色信号が生成される。これにより、ＬＥＤモジュール６から放射される各色光の混色比率が、図８に示す曲線Ｅ１，Ｅ２の色度経路ｆ１〜ｆ４に基づいて、次第に変化していく。このように、壁スイッチ装置３のスイッチ部８の所定期間（１秒）を上回る押圧操作によって、ＬＥＤモジュール６から放射される各色光の混色比率を次第に変化させることができる。
【００６５】
上述したように、光源としてのＬＥＤモジュール６を点消灯させる壁スイッチ装置３のスイッチ部８を所定期間（１秒）内に押圧操作することにより、従来どおり、ＬＥＤモジュール６が点灯または消灯される。また、壁スイッチ装置３のスイッチ部８を継続して所定期間を上回る押圧操作することにより、ＬＥＤモジュール６から放射される各色光が前もって設定された混色比率で次第に変化するようになる。したがって、専用の操作装置を用いることなく、従来の壁スイッチ装置３を用いて、照明器具２から出射される照明光の光色を可変することができて、照明光の演出を行うことができる。
【００６６】
なお、主操作盤装置４の主制御部３１は、通信部３０において、壁スイッチ装置３から出力された操作信号が所定期間（１秒）を上回って受信されたときと、当該操作信号の受信が終了したときに、それぞれ可変色制御信号を伝送線７に出力させるように形成してもよい。そして、制御端末装置５の制御部３６は、通信部３０の操作信号の所定期間を上回る受信期間に亘って、通信部３０から可変色制御信号が継続して出力されていると判断し、ＬＥＤモジュール６から放射される各色光の混色比率を次第に変化させる可変色信号を生成するように形成してもよい。
【００６７】
主操作盤装置４の主制御部３１は、通信部３０が壁スイッチ装置３から出力された操作信号を所定期間を上回って受信したときと受信終了したときに、それぞれ可変色制御信号を伝送線７に出力させればよいので、可変色制御信号の生成が容易となるとともに、伝送線７に送信（出力）する送信量を削減することができる。また、制御端末装置５は、通信部３０の操作信号の所定期間を上回る受信期間に亘って、通信部３０から可変色制御信号が継続して出力されていると判断してＬＥＤモジュール６を制御するので、壁スイッチ装置３のスイッチ部８の押圧操作に対して、ＬＥＤモジュール６から放射される各色光の混色比率を迅速に次第に変化させることができ、照明器具２から出射される照明光の光色を迅速に可変することができる。
【００６８】
また、主操作盤装置４は、記憶部３２が壁スイッチ装置３から出力された操作信号の受信期間に対応するＬＥＤモジュール６の各色光の混色比率を記憶し、主制御部３１は、操作信号の受信期間が所定期間（１秒）を上回ったときには、記憶部３２に記憶している操作信号の受信期間に対応するＬＥＤモジュール６の各色光の混色比率に基づいて可変色制御信号を生成するように構成してもよい。そして、制御端末装置５は、制御部３６が当該可変色制御信号の混色比率に応じてＬＥＤモジュール６の各色光の混色比率が変化するようにＬＥＤモジュール６を制御する可変色信号を生成するように構成してもよい。
【００６９】
また、光源は、ＬＥＤモジュール６で構成したが、可変色蛍光ランプなどを用いて構成してもよい。
【図面の簡単な説明】
【００７０】
【図１】本発明の一実施の形態を示す照明制御システムの構成の概略ブロック図。
【図２】同じく、壁スイッチ装置の構成を示す概略ブロック図。
【図３】同じく、主操作盤装置の構成を示す概略ブロック図。
【図４】同じく、制御端末装置の構成を示す概略ブロック図。
【図５】同じく、ＬＥＤモジュールの概略正面図。
【図６】同じく、点灯回路部の概略回路図。
【図７】同じく、各発光ダイオードに対する電流の供給を示す説明図。
【図８】同じく、ＬＥＤモジュールから放射される照明光の光色の範囲を示す色度範囲図。
【符号の説明】
【００７１】
１…照明制御システム
２…照明器具
３…壁スイッチ装置
４…主操作盤装置
５…制御端末装置
３０…通信部
３１…主制御部
３２，４０…記憶部
３５…受信部
３６…制御部
【図１】
2010033806.tif 000003
【図２】
2010033806.tif 000004
【図３】
2010033806.tif 000005
【図４】
2010033806.tif 000006
【図５】
2010033806.tif 000007
【図６】
2010033806.tif 000008
【図７】
2010033806.tif 000009
【図８】
2010033806.tif 000010